(57)【要約】所定の流体の静脈内投与器として使用されるマルチポート注入装置が提供される。本装置は、静脈注射治療部位の近傍で使用者の身体部分に対して固定されるようになっているバンドを含む。マルチポート本体は、バンドに固定されるとともに、本体のポートのうちの第１のポートと少なくとも１つの第２のポートとの間を流体連通させるマルチポート流体流通路を含む。
2005521486.tif 000002
【特許請求の範囲】
【請求項１】
所定の流体の静脈内投与器として使用されるマルチポート注入装置において、
静脈注射治療部位の近傍で使用者の身体部分に対して固定されるようになっているバンドと、
前記バンドに固定されるマルチポート本体であって、この本体の第１のポートと他の各ポートとの間を連通させる流体流通路が設けられていることを特徴とするマルチポート本体と、
を備えているマルチポート注入装置。
【請求項２】
所定の流体の静脈内投与器として使用されるマルチポート注入装置において、
静脈注射治療部位の近傍で使用者の身体部分に対して固定されるようになっているバンドと、
前記バンドに固定され、Ｔ部品形状を成すことを特徴とするマルチポート本体と、
を備えているマルチポート注入装置。
【請求項３】
前記マルチポート本体がブロックの形態を成している請求項１または２のマルチポート注入装置。
【請求項４】
前記マルチポート本体が略一定の断面を有している請求項３のマルチポート注入装置。
【請求項５】
前記バンドが前記マルチポート本体を貫通している請求項１〜請求項４のいずれか１項のマルチポート注入装置。
【請求項６】
前記マルチポート本体は、バンドから隆起されており、それにより、ポートのうちの１つから延びるチューブと静脈注射治療部位との間で空気の循環を可能にする請求項１〜請求項５のいずれか１項のマルチポート注入装置。
【請求項７】
使用時に前記バンドによって使用者の皮膚に対して固定される前記マルチポート本体の表面は、略平坦である請求項１〜請求項６のいずれか１項のマルチポート注入装置。
【請求項８】
前記本体の少なくとも１つの他の主要な外面も略平坦である請求項７のマルチポート注入装置。
【請求項９】
前記本体の他の主要な各外面も略平坦である請求項７のマルチポート注入装置。
【請求項１０】
１または複数のポートにはシールキャップが設けられている請求項１〜請求項９のいずれか１項のマルチポート注入装置。
【請求項１１】
１または複数のキャップが各ポートに組み込まれている請求項１０のマルチポート注入装置。
【請求項１２】
前記本体内の流体流通路のいずれにも逆止弁が存在しないことを特徴とする請求項１〜請求項１１のいずれか１項のマルチポート注入装置。
【発明の詳細な説明】
【技術分野】
【０００１】
本発明は、一般に、マルチポート注入装置に関し、特に、静脈内輸液の投与中における溢出の虞を減らす装置に関する。
【背景技術】
【０００２】
静脈注射用溶液を受ける患者の皮膚および血管は、幼児であろうと成人であろうと、静脈注射針の最初の挿入中に損傷される可能性がある。同様に、患者の皮膚および血管は、静脈注射ラインを移動することにより、また、患者を移動させることにより、あるいは、多くの他の周知の要因によって、処置後に損傷する可能性がある。また、怪我は、チューブ等を繰り返し取り付けたり取り外したりすることにより、あるいは、意図せずに又は不注意によりチューブ等を引張ったりすることにより生じる可能性がある。これにより、穿刺された皮膚部位に対して針が移動し、それにより、患者がダメージを受けたり怪我したりする。そのような典型的な損傷部位としては、例えば、患者の手や腕を挙げることができる。
【０００３】
周知のシステムにおいては、リザーバからのチューブが延長チューブに対して直接に接続され、延長チューブ自体はカテーテルの針に接続される。
【０００４】
通常、静脈注射カテーテルは、粘着テープにより、患者の皮膚に固定される。更なる保護手段は、ループを形成して粘着テープにより皮膚に固定される延長チューブ回路の一部を使用して「ループ」を形成することである。ループを使用すると、不注意にチューブを引張ってしまう虞を減らすことができるが、そのような引張りを防ぐことはできず、また、患者の移動等によって針が移動してしまう場合がある。更に、テープを使用してチューブを固定すると、皮膚の穿刺部分にある敏感な肌にダメージを与える可能性がある。実際には、幾つかの皮膚状態は、任意の操作によって引き起こされる軽度の外傷に対して非常に弱い。
【０００５】
従来技術は、静脈注射チューブを位置決め保持する装置で満たされている。しかしながら、周知の装置のいずれも、延長チューブおよびリザーバチューブを互いに完全に分離できない。また、これらの周知の装置は、皮膚にダメージを与えることで知られている。
【発明の開示】
【発明が解決しようとする課題】
【０００６】
本発明の範囲は、請求項に規定されている。以下は、本発明の特定の特徴の単なる概要である。
【０００７】
本発明の第１の態様においては、所定の流体の静脈内投与器として使用されるマルチポート注入装置が提供される。この装置は、静脈注射治療部位の近傍で使用者の身体部分に対して固定されるようになっているバンドを含む。また、少なくとも２つのポートを有するマルチポート本体が設けられている。マルチポート本体は、バンドに固定されるとともに、第１のポートと少なくとも１つの第２のポートとの間を流体連通させるマルチポート流体流通路を含む。
【０００８】
実施形態において、前記バンドは柔軟なバンドである。第１のポートは、針から延びる延長チューブを受け入れても良く、また、少なくとも１つの第２のポートは、前記延長チューブと流体連通する静脈注射チューブを受け入れても良い。少なくとも２つのポートは、３つのポートであっても良く、あるいは、それ以上の数のポートであっても良い。また、各ポートがシールキャップを含んでも良い。バンドが調整機構を含んでも良い。前記調整機構は、複数の調整穴、および、これらの調整穴と係合する固定装置であっても良い。バンドは、使用時、皮膚と面一に配置されても良い。これに対し、マルチポイント本体は、バンドから隆起されており、それにより、少なくとも２つのポートのうちの１つから延びるチューブと静脈注射治療部位との間で空気の循環を可能にする。
【０００９】
本発明の他の態様において、マルチポイント注入装置は、第１の端部と第２の端部とを有し且つ静脈注射治療部位の近傍で使用者の身体部分に対して固定されるようになっている柔軟なバンドを含む。この柔軟なバンド上には、柔軟なバンドを使用者の身体部分に対して固定するための固定装置が位置されている。主本体は３方向流体通路を有している。この３方向流体通路の各通路は、開口ポートを有している。開口ポートは、ポートをシールするようになっているシールキャップを有している。
【００１０】
本発明の他の態様の実施形態において、主本体は、柔軟なバンドから隆起されており、それにより、３方向流体通路のポートのうちの１つから延びるチューブと静脈注射治療部位との間で空気の循環を可能にする。柔軟なバンドは、固定装置を含む調整機構を含む。柔軟なバンドに沿う複数の調整穴が、固定装置と係合するために設けられていても良い。柔軟なバンドは、使用者に取り付けられた際に使用者に対するバンドの回転を防止する手段を含んでも良い。
【００１１】
本発明の他の態様において、マルチポイント注入装置は、１つのバンドと、延長チューブと少なくとも他のチューブとの間に流体連通路を形成する手段とを含む。バンドの回転を防止する手段も含まれている。
【００１２】
以上の目的、態様、利点、および、他の目的、態様、利点は、図面に関連する本発明の好ましい実施形態の以下の詳細な説明から良く理解できる。
【発明を実施するための最良の形態】
【００１３】
本実施形態は、静脈注射装置に関し、特に、静脈内輸液の投与中における溢出の虞を減らす静脈注射装置に関する。実施形態において、静脈注射装置は、使用者の手足の周囲または他の身体部分に位置される腕輪である。末梢ＩＶは、装置内に挿入されるとともに、例えばアンジオカット（ａｎｇｉｏｃａｔｈ）に接続されたリザーバチューブと延長チューブとの間の「安全な」バッファとしての役割を果たす。本静脈注射装置によれば、現在使用されるリザーバチューブおよび延長チューブに何ら変更を加える必要がなく、また、任意の周知の静脈切開技術を変更する必要もない。
【００１４】
静脈注射装置は、患者の位置の変化またはＩＶポールの移動に伴ってチューブが引張られることにより生じるカテーテルの移動を防止する。また、静脈注射装置を使用すると、ラインに作用する圧力が直ちに減少するとともに、手足の移動またはカテーテルの不注意による移動によって怪我をする危険が減少する。更に、チューブシステムの取り外し及び／又は交換が非常に簡単になる。また、静脈注射装置は、チューブの操作およびチューブの取り外し操作を少なくできる別個の注入ポートを与える。
【００１５】
図１を参照すると、静脈注射装置が全体的に参照符号１０で示されている。静脈注射装置１０はバンド１２を含み、このバンド１２は、使用者の手首の上または任意の手足や身体部分の他の部位にわたってしっかりと取り付けられるように柔軟な弾性材料によって形成されていても良い。一実施形態において、バンド１２は、バンド自体の近傍または端部に配置されたリベット型装置、ボタン、あるいは、他の固定装置１６と係合する調整穴１４を含む。静脈注射装置１０を使用者に対してしっかりと取り付けるため、他の固定装置または結合装置が同様に使用されても良い。例えば、伸縮バンドまたは他の装置が使用されても良い。
【００１６】
更に図１を参照すると、流体通路２６を介して互いに流体連通する複数のポート２０、２２および２４を有する本体１８がバンド１２上に設けられている。一実施形態において、ポート２２および２４は、ポート２０に対して略直角に位置されており、ポート２２および２４をシールするためのキャップ２２ａおよび２４ａをそれぞれ含んでも良い。また、実施形態においては、ポート２０もシールキャップを有していても良い。図１において、キャップ２２ａおよび２４ａはポート２２および２４をシールしている。しかしながら、使用時には、キャップ２２ａおよび２４ａの一方または両方を取り外してチューブを受け入れることができる。ポート２０は、静脈注射針（図示せず）に接続される延長チューブ２８のために使用されることが好ましい。実施形態においては、２つ以上または１つの更なるポート２２および２４も考えられる。
【００１７】
図２は、使用者の手首に取り付けられたバンドを示している。これは、単なる一例であり、これによって本発明が何ら限定されるものではない。図２から分かるように、調整機構は、バンド１２を使用者の手首にしっかりと取り付けており、バンドの回転を防止している。また、本体１８は、バンドから隆起されており、それにより、ポート２０から延びるチューブ２８と静脈注射治療部位との間で空気の循環を可能にしている。これにより、チューブの移動、例えばチューブ２８の移動や、注射針２８ａの外れが完全に防止される。図２に示される実施形態において、キャップ２４ａは開放されており、キャップ２２ａは、ポート２２をシールするために閉じられたままである。ポート２４からは１本のチューブが延びていても良い。その場合、このチューブは、流体連通路２６を介してチューブ２８と流体連通される。ポート２４に接続されたチューブは、輸液用に使用されるが、ポート２２にチューブが接続されても良い。チューブ同士は互いに分離できる。すなわち、チューブをその対応するポートから個別に取り外すことができる。
【００１８】
本発明の他の態様および特徴は、図面、明細書本文、添付の請求の範囲を検討することによって得ることができる。
【００１９】
本発明のこの明細書本文には、便宜上、流体の点滴投与に関して、装置の意図する用途が説明されている。無論、人体または動物の身体への入口点と外部装置との間に形成される任意の柔軟な接続部を固定するために、本装置が都合良く使用されても良いことは言うまでもない。例えば、装置は、鼻腔栄養チューブ、導尿カテーテル、胸部ドレン等の排液チューブを固定するために使用されても良い。したがって、本出願の明細書および請求の範囲で使用される用語「静脈内」は、「体内」という広い意味で解釈されなければならない。
【００２０】
また、便宜上、明細書本文は、装置を「使用者の身体部分」に固定されるものとして説明している。装置の意図する用途は、柔軟な接続部を体内に挿入する側においてダメージを防止することであることは言うまでもない。したがって、ある状況、例えば患者が動けないような状況においては、患者に対して固定された位置に装置を固定することが同様に好ましい場合がある。そのような固定された位置は、都合良く、患者が座っている椅子または車椅子、あるいは、患者が横たわっているベッドであっても良い。したがって、明細書本文および請求の範囲における用語「使用者の身体部分」は、患者の体内へ柔軟なチューブを挿入する部位に対して固定された点という広い意味で解釈されなければならない。
【図面の簡単な説明】
【００２１】
【図１】本発明の斜視図を示している。
【図２】使用者の手首における本発明の説明に役立つ実例を示している。
【符号の説明】
【００２２】
１０    静脈注射装置
１２    バンド
１４    調整穴１４
１６    固定装置
１８    本体
２０、２２、２４    ポート
２２ａ、２４ａ    キャップ
２６    流体通路２６
２８    延長チューブ
【図１】
2005521486.tif 000003
【図２】
2005521486.tif 000004
【国際調査報告】
2005521486.tif 000005
2005521486.tif 000006
2005521486.tif 000007